(57)【要約】  本発明は、複数の集積電気光学素子（１０１、１０２、１０３、…１０Ｎ）を有する乗物のウィンドウ（１）に関するものであり、ここで、電気光学素子（１０１、１０２、１０３、…１０Ｎ）は、共通の供給電圧（２０）を有しており；集積電気光学素子（１０１、１０２、１０３、…１０Ｎ）は、個々に又はグループ（３０、３０１、３０２、３０３、…３０Ｎ）で制御でき、それによって、電気光学素子が、それぞれの位置でウィンドウ（１）の光学特性を変化させるようになっており；電気光学素子（１０１、１０２、１０３、…１０Ｎ）を制御し、かつ共通の供給電圧（２０）を提供するために、共通の供給電圧（２０）を供給するための第１の論理インターフェース、及び共通の制御信号を供給するための第２の論理インターフェースが設けられており；論理インターフェースの下流で、上記制御信号を、個々の又はグループでの集積電気光学素子（１０１、１０２、１０３、…１０Ｎ）の制御のための制御信号に変換し；物理インターフェース（４０）が、前記ウィンドウ（１）の外面（１００、４００）の一方に配置されており；第１の論理インターフェース及び第２の論理インターフェースのための物理インターフェースは、合計で３つ又は４つの電気的接続を有している。
2020531361.tif 000002
【特許請求の範囲】
【請求項１】
複数の集積電気光学素子（１０１、１０２、１０３、…１０Ｎ）を有する乗物のウィンドウ（１）であって、
ここで、前記電気光学素子（１０１、１０２、１０３、…１０Ｎ）は、共通の供給電圧（２０）を有しており；前記集積電気光学素子（１０１、１０２、１０３、…１０Ｎ）は、個々に又はグループ（３０；３０１、３０２、３０３、…３０Ｎ）で制御でき、それによって、前記電気光学素子が、それぞれの位置でウィンドウ（１）の光学特性を変化させるようになっており；前記電気光学素子（１０１、１０２、１０３、…１０Ｎ）を制御し、かつ前記共通の供給電圧（２０）を提供するために、前記共通の供給電圧（２０）を供給するための第１の論理インターフェース、及び共通の制御信号を供給するための第２の論理インターフェースが設けられており；前記論理インターフェースの下流で、前記制御信号を、個々の又はグループでの前記集積電気光学素子（１０１、１０２、１０３、…１０Ｎ）の制御のための制御信号に変換し；物理インターフェース（４０）が、前記ウィンドウ（１）の外面（１００、４００）の一方に配置されており；前記第１の論理インターフェース及び前記第２の論理インターフェースのための前記物理インターフェースは、合計で３つ又は４つの電気的接続を有している；
複数の集積電気光学素子を有する乗物のウィンドウ。
【請求項２】
前記電気光学素子は、前記ウィンドウの光透過性を制御するために設けられていることを特徴とする、請求項１に記載の乗物のウィンドウ（１）。
【請求項３】
前記電気光学素子は、エレクトロクロミックコーティング、懸濁粒子デバイス、液晶、高分子分散型液晶デバイスを含む群から選択されることを特徴とする、請求項１又は２に記載の乗物のウィンドウ（１）。
【請求項４】
前記物理インターフェースが、前記ウィンドウ（１）の凹部に配置されていることを特徴とする、請求項１から３のいずれか一項に記載の乗物のウィンドウ（１）。
【請求項５】
前記第２の論理インターフェースは、単線又は２線インターフェースであることを特徴とする、請求項１から４のいずれか一項に記載の乗物のウィンドウ（１）。
【請求項６】
前記第２の論理インターフェースは、バスシステムに接続可能であることを特徴とする、請求項１から５のいずれか一項に記載の乗物のウィンドウ（１）。
【請求項７】
前記バスシステムは、乗物バスシステムであることを特徴とする、請求項６に記載の乗物のウィンドウ（１）。
【請求項８】
前記バスシステムは、ＣＡＮバスであることを特徴とする、請求項６又は７に記載の乗物のウィンドウ（１）。
【請求項９】
前記第２の論理インターフェースが、前記ウィンドウ（１）のセンサ及び／又はディスプレイ要素にさらに電気的に接続していることを特徴とする、請求項１から８のいずれか一項に記載の乗物のウィンドウ（１）。
【請求項１０】
前記物理インターフェースは、前記ウィンドウ（１）の縁に配置されていることを特徴とする、請求項１から９のいずれか一項に記載の乗物のウィンドウ（１）。
【請求項１１】
前記第１の論理インターフェースは、交流電圧を供給することを特徴とする、請求項１から１０のいずれか一項に記載の乗物のウィンドウ（１）。
【請求項１２】
前記第１の論理インターフェースは、直流電圧を供給することを特徴とする、請求項１から１０のいずれか一項に記載の乗物のウィンドウ（１）。
【発明の詳細な説明】
【技術分野】
【０００１】
本発明は、複数の集積電気光学素子を有する乗物のウィンドウ及びその製造方法に関する。
【背景技術】
【０００２】
ウィンドウは、制御可能な光学素子を備えることができることが知られている。
【０００３】
制御可能な光学素子には、様々な技術が利用可能である。光学的に制御可能な素子は、印加された電圧の影響下でそれらの透過率特性を変化させることができる。
【０００４】
したがって、例えば、透明状態から「乳白ガラス状態」又は「暗い」状態へ切り替えることが可能である。使用する技術によって、漸進的に切り替えたり、２値で切り替えたりすることが可能である。
【０００５】
このような素子は、例えば、自動車分野で使用されているが、太陽光防護及び／又はプライバシー保護として建築ガラス分野にも使用されている。
【０００６】
国際特許出願である国際公開第２０１６／０６３２７７  Ａ２号から、高分子分散型液晶（ＰＤＬＣ）ディスプレイの製造が知られている。
【０００７】
さらに、国際特許出願である、国際公開第２０１６／０６３２７７  Ａ２号からは、電源に接続したディスプレイのセグメントを並列制御することが知られている。換言すれば、セグメントごとへの電源に加えて、セグメントごとに少なくとも１つの切り替え線も必要とされる。
【０００８】
建築ガラスに対する類似のシステムは、米国特許第５，３９７，８８８号明細書からも公知である。ここで、エレクトロクロミックディスプレイの１つのセグメントは、各々の場合に、それぞれの制御線によって制御されている。
【発明の概要】
【発明が解決しようとする課題】
【０００９】
しかしながら、上記の解決策は、個々のセグメントの接続が多くの空間を占有するので、多くの分野において不利であることが実証されている。この空間要件はまた、高い機械的応力により、組み立て中にしばしば接続を損傷することを引き起こす。さらに、いくつかの領域では、必要とされる制御線が非常に多いので、透過率特性と干渉するという問題がある。
【課題を解決するための手段】
【００１０】
この背景に対して、本発明の目的は、確実な接続を提供すると同時に、改善された光学特性を有するウィンドウを利用可能にすることである。
【００１１】
この目的は、複数の集積電気光学素子を有する乗物のウィンドウによって達成され、ここで、この電気光学素子は共通の供給電圧を有しており；この集積電気光学素子は、個々に又はグループで制御でき、それによって、この電気光学素子が、それぞれの位置でウィンドウの光学特性を変化させるようになっており；この電気光学素子を制御し、かつ共通の供給電圧を提供するために、共通の供給電圧を供給するための第１の論理インターフェース、及び共通の制御信号を供給するための第２の論理インターフェースが設けられており；この論理インターフェースの下流では、上記制御信号を、個々の又はグループでのこの集積電気光学素子の制御のための制御信号に変換し；物理インターフェースが、このウィンドウの外面の一方に配置されており；第１の論理インターフェース及び第２の論理インターフェースのための物理インターフェースは、合計で３つ又は４つの電気的接続を有している。
【００１２】
本発明によれば、電源及び制御のための空間要件を小さく維持しながら、個々のセグメントを制御することが可能である。また、この配置により、配線を簡単かつ確実に行うことができ、したがって、長寿命化を図ることができる。さらに、個々の電気光学素子は、少数の線によって極めて効果的に、選択的に制御することができる。
【００１３】
本発明の一実施形態では、前記電気光学素子は、ウィンドウの光透過性を制御するために設けられている。
【００１４】
換言すれば、透明性は、周囲に適合させることもできるし、適切な段階で所望の透明性にすることもできる。
【００１５】
本発明の別の実施形態によれば、この電気光学素子は、エレクトロクロミックコーティング、懸濁粒子デバイス、液晶、高分子分散型液晶デバイスを含む群から選択される。
【００１６】
したがって、本発明は、様々な目的のために、様々なタイプの電気光学素子に使用することができる。
【００１７】
本発明のさらに別の実施形態によれば、物理インターフェースは、ウィンドウの凹部に配置されている。
【００１８】
この実施形態により、空間要件を低減することができる。
【００１９】
本発明の別の実施形態では、第２の論理インターフェースは、単線又は２線インターフェースである。
【００２０】
換言すれば、個々の電気光学素子は、少数の線によって極めて効果的に、選択的に制御することができる。
【００２１】
本発明のさらに別の実施形態では、第２の論理インターフェースは、バスシステムに接続することができる。
【００２２】
換言すれば、本発明によるウィンドウの電気光学素子は、コントローラ（制御装置）に統合することができる。
【００２３】
本発明の別の実施形態によれば、第２の論理インターフェースは、ウィンドウのセンサ及び／又はディスプレイ要素にさらに電気的に接続している。
【００２４】
したがって、例えば、本発明によるウィンドウの電気光学素子及び他のデバイスは、線の数を最小限に抑えながら、制御することが可能である。
【００２５】
本発明の別の実施形態では、物理インターフェースは、ウィンドウの縁に配置されている。
【００２６】
したがって、例えば、フレーム領域内に接続を移動させることさえも可能であり、それによって、ウィンドウの透明性を広い面積にわたって保持するようになっている。
【００２７】
本発明のさらに別の実施形態では、第１の論理インターフェースは交流電圧を提供する。
【００２８】
したがって、交流電圧を必要とするある特定の技術の電気光学素子さえも制御することができる。
【００２９】
本発明のさらに別の実施形態によれば、第１の論理インターフェースは直流電圧を提供する。
【００３０】
これにより、例えば、直流電圧を必要とするエレクトロクロミックコーティングなどの、ある特定の技術の電気光学素子でさえ制御できる。
【００３１】
開示の本発明によれば、個々のセグメントを制御できるウィンドウを提供することが可能であり、ここで、電源のための、さらには制御のための空間要件を小さく保つことができる。また、この配置により、配線を簡単かつ確実に行うことができ、したがって、長寿命化を図ることができる。
【００３２】
本発明によるウィンドウは、乗物及び建物の両方に使用することができる。
本発明の実施形態について、添付の図面を参照して実施例として説明する。
【図面の簡単な説明】
【００３３】
【図１】ウィンドウの層の概略的な断面図である。
【図２】本発明の一実施形態による論理素子の概略図である。
【図３】本発明の別の実施形態による論理素子の別の概略図である。
【図４】本発明のさらなる態様によるウィンドウの層の概略的な断面図である。
【図５】本発明に係る製造方法の概略的なフローチャートである。
【発明を実施するための形態】
【００３４】
以下、図面を参照して、本発明をより詳細に説明する。尚、各々の場合において、個々に又は組み合わせて使用することができる異なる態様が記載されている。換言すれば、純粋な代替案として明記されない限り、任意の態様を本発明の異なる実施形態と共に使用することができる。
【００３５】
さらに、単純化のため、以下では、通常、１つの実体のみに言及している。しかしながら、明記されていない限り、本発明は、各々の場合に、関係する複数の実体を含むこともできる。したがって、単語「ａ」及び「ａｎ」の使用は、少なくとも１つの実体が単純な実施形態において使用されることを示すものとしてのみ理解されるべきである。
【００３６】
方法について以下に記載する場合、文脈が、何か異なる事項を明示しない限り、方法の中の個々の工程を、任意の順序で配置することができ、かつ／又は組み合わせることができる。さらに、これらの方法は、他に明記されていない限り、互いに組み合わせることができる。
【００３７】
数値を有するデータは、通常、厳密な値として理解されるべきではなく、＋／−１％から＋／−１０％の許容誤差を含む。
【００３８】
標準又は仕様又は基準に関する言及は、出願時及び／又は優先権が主張される場合には優先権出願の時点で適用する／適用される標準又は仕様又は基準に関する言及として理解されるべきである。しかしながら、これは、その後の又はとって代わって適用される標準又は仕様又は基準の一般排除を意味するものではない。
【００３９】
以下で、論理インターフェース及び物理インターフェースについて言及する。この点に関して、１つの物理インターフェースは、１つを超える論理インターフェースを提供することができることに留意すべきである。例えば、高周波数信号は、直流電圧又は低周波数交流電圧上に存在し得る。この結合信号は、物理インターフェースを介して利用可能にすることができる。しかしながら、この信号は、２つの論理インターフェースに対応することができる。すなわち、一方のインターフェースを高周波数信号のために使用し、かつ他方のインターフェースを直流電圧又は低周波数交流電圧のために使用できる。
【００４０】
本発明による乗物のウィンドウ１は、複数の集積電気光学素子１０１、１０２、１０３、…１０Ｎを有する。電気光学素子１０１、１０２、１０３、…１０Ｎは、共通の供給電圧を有する。
【００４１】
本発明を、乗物のウィンドウを参照して以下で説明するが、本発明を建物のウィンドウにも使用することができる。この点において、以下の説明は例示的なものである。
【００４２】
供給電圧は、例えば、論理インターフェース２０を介して利用可能となる。
【００４３】
本発明による実施形態では、集積電気光学素子１０１、１０２、１０３、…１０Ｎは、コントローラ（制御装置）３０；３０１、３０２、３０３、…３０Ｎにより個々に、又はグループで制御でき、それによって、この電気光学素子が、ウィンドウ１の光学特性をそれぞれの位置で変化させるようになっており；電気光学素子１０１、１０２、１０３、…１０Ｎを制御し、かつ共通の供給電圧を提供するために、共通の供給電圧を供給するための第１の論理インターフェース２０、及び共通の制御信号を供給するための第２の論理インターフェース２１が設けられており；論理インターフェースの下流で、この制御信号を、個々の又はグループでの集積電気光学素子１０１、１０２、１０３、…１０Ｎの制御のための制御信号に変換し；物理インターフェース４０は、ウィンドウ１の外面１００、４００の一方に配置されている。
【００４４】
図２は、集積電気光学素子１０１、１０２、１０３、…１０Ｎをコントローラ３０１、３０２、３０３、…３０Ｎによって個々に制御する場合を示している。ここで、例えば、インターフェース２０及び２１の論理的な分配に対応する信号は、共通の電源（下部接続）として論理制御ユニット３０１、３０２、３０３、…３０Ｎに送られ、次に、この論理制御ユニットは、インターフェース２１（上部接続）を介して制御信号を受信し、かつそれらの制御信号を評価する。そして、それぞれの制御ユニット３０１、３０２、３０３、…３０Ｎが、それらに関連付けられた電気光学素子１０１、１０２、１０３、…１０Ｎが切り換えられるということを検出すると、電源への接続が確立されることになる。換言すれば、制御は空間的に近接して行われる。
【００４５】
これに対し、図３は、集積電気光学素子１０１、１０２、１０３、…１０Ｎをコントローラ３０によってグループで制御する場合を示している。ここで、例えば、信号は、インターフェース２０及び２１の論理的な分配にしたがって、制御ユニット３０に共通の電源（下部接続）として送られ、次に、この論理制御ユニットは、インターフェース２１（上部接続）を介して制御信号を受信し、かつそれらの制御信号を評価する。そして、コントローラ（制御ユニット）３０が、それに関連付けられた１つ又はそれを超える電気光学素子１０１、１０２、１０３、…１０Ｎが切り換えられるということを検出すると、電源への接続が確立されることになる。換言すれば、制御は空間的に近接して集中して行われる。
【００４６】
もちろん、混合した形態も提供可能である。
【００４７】
コントローラは、例えば、電気光学素子１０１、１０２、１０３、…１０Ｎの各々に、個々に対応するように構成することができるが、例えば、制御されるすべての電気光学素子１０１、１０２、１０３、…１０Ｎの透明性を、論理インターフェース上の電圧の共通コントローラを介して、共通して制御することもできる。この変形例は、図２による実施形態において、特に容易に使用することができる。
【００４８】
さらに、コントローラは、例えば、電気光学素子１０１、１０２、１０３、…１０Ｎが連結するように構成することもでき、それによって、例えば、電気光学素子１０Ｍ（１≦Ｍ≦Ｎ）の制御が、常に電気光学素子１０１、１０２、１０３、…１０Ｍの制御も含むようにすることができる。この変形例は、図３による実施形態において特に容易に使用することができる。
【００４９】
異なる変形例は、各々独自の利点を有する。したがって、個々のサブコントローラへ分配することもでき、例えば、熱源のより良い分布を可能にする。一方、中央コントローラは、より省空間とすることができる。したがって、様々な目的をより強く強調することができる。
【００５０】
全ての解決策に共通するのは、コントローラ３０；３０１、３０２、３０３、…３０Ｎを、図４に示されるように、適した寸法でウィンドウ１の外面のいずれか１つに、又は中間層に配置できるということである。さらに、当然のことながら、コントローラ３０、３０１、３０２、３０３、…３０Ｎの一部をウィンドウ１の外面のうちの１つに配置することも可能であり、その一方でコントローラ３０；３０１、３０２、３０３、…３０Ｎの他の部分を中間層に配置することも可能である。本発明によれば、物理インターフェース４０は、乗物のウィンドウ（１）から離れた３つ又は４つの電気的接続を有する。
【００５１】
ここで開示する本発明によれば、電源及び制御のための空間要件を小さく維持可能としながら、個々のセグメントを制御することが可能である。また、この配置により、配線を簡単かつ確実に行うことができ、したがって、長寿命化を図ることができる。換言すれば、少数の線によって個々の電気光学素子１０１、１０２、１０３、…１０Ｎを、極めて効果的に選択的に制御することができる。
【００５２】
本発明によるウィンドウの一実施形態では、電気光学素子１０１、１０２、１０３、…１０Ｎは、ウィンドウ１の光透過性を制御するために設けられる。
【００５３】
換言すれば、光透過性は、周囲に適合させることもできるし、適切な段階で所望の透明性にすることもできる。２つの段階（透明／不透明）及び複数（中間）段階の両方、並びにある特定の電気光学層の場合にも、無限の適応を可能にすることができる。選択された電気光学素子に対する透明性の共通制御と、各素子についての調整可能な透明性との両方を提供することができる。
【００５４】
本発明の一実施形態によれば、前記電気光学素子１０１、１０２、１０３、…１０Ｎは、エレクトロクロミックコーティング、懸濁粒子デバイス、液晶、高分子分散型液晶デバイスを含む群から選択される。
【００５５】
したがって、本発明は、様々な目的のために、様々なタイプの電気光学素子に使用することができる。例えば、エレクトロクロミックコーティング、懸濁粒子デバイス、液晶では、暗い状態から透明状態への変化を利用できるが、例えば、高分子分散液晶デバイスは、透明から乳白ガラス状態への変化を可能とすることができる。
【００５６】
本発明の別の実施形態では、物理インターフェース４０は、図４に示すように、外側４００のウィンドウ１の凹部に配置される。凹部は、１ｍｍ未満から２ｍｍまでとすることができ、ガラス層及びウィンドウ１の安定性要件によってのみ制限される。
【００５７】
この実施形態によれば、空間要件を最小限にすることができ、かつ物理インターフェース４０に対する付加的な安定性を提供することができる。
【００５８】
本発明のさらに別の実施形態では、第２の論理インターフェース２１は、単線又は２線インターフェースである。
【００５９】
単線又は２線インターフェースを用いることによって、論理インターフェース２１を、物理的に省空間に設計することができる。いわゆる「単線インターフェース」は、供給電圧とデータ線の両方を組み合わせて、少なくとも２つの物理的導体上で第１の論理インターフェース２０と第２の論理インターフェース２１との組み合わせを利用可能にする。
【００６０】
本発明の一実施形態では、前記第２の論理インターフェース２１は、例えばケーブル５０を介してバスシステムに接続することができる。例えば、それによって、ＣＡＮバスのような乗物バスシステムへの接続、又はヨーロッパ・インスタレーション・バス（ＥＩＢ）のような電子インスタレーションバスシステムへの接続を提供することができる。換言すれば、本発明によるウィンドウの電気光学素子は、コントローラに統合することができる。
【００６１】
本発明の別の実施形態によれば、第２の論理インターフェース２１は、ウィンドウ１のセンサ及び／又はディスプレイ要素にさらに電気的に接続している。例えば、ガラス層１５０と３５０との間に、１つ又は複数の（容量性）センサ（近接スイッチ／タッチ制御、雨センサ）又はＬＥＤを配置することができる。
【００６２】
したがって、例えば、本発明によるウィンドウ１の電気光学素子１０１、１０２、１０３、…１０Ｎ並びに他の装置の（ＢＵＳを介した）手動制御が、最小限の線の数でできるようになる。
【００６３】
本発明の別の実施形態では、物理インターフェース４０は、ウィンドウ１の縁に配置される。
【００６４】
したがって、例えば、フレーム領域内に接続を移動させることも可能であり、それによって、透明性が広い面積にわたって保持されるようになっている。
【００６５】
本発明のさらに別の実施形態では、第１の論理インターフェース２０は交流電圧を提供する。
【００６６】
したがって、交流電圧を必要とする、例えば、液晶、高分子分散型液晶デバイス、懸濁粒子デバイスなどの、ある特定の技術の電気光学素子も制御することができる。
【００６７】
本発明の代替的の実施形態によれば、第１の論理インターフェース２０は直流電圧を提供する。
【００６８】
したがって、直流電圧を必要とする、例えばエレクトロクロミックコーティングなどの、ある特定の技術の電気光学素子も制御することができる。
【００６９】
次に、製造方法をさらに提供する。ウィンドウ１の製造方法は、第１のガラス層１５０を提供する工程１０００と、複数の電気光学素子１０１、１０２、１０３、…１０Ｎを提供する工程１１００と、複数の電気光学素子１０１、１０２、１０３、…１０Ｎへの電気的接続を提供する工程１２００と、第２のガラス層３５０を提供する工程１３００と、第１のガラス層１５０と第２のガラス層３５０とを接合する工程１４００とを有し、複数の電気光学素子１０１、１０２、１０３、…１０Ｎ及び電気的接続は、第１のガラス層１５０と第２のガラス層３５０との間に配置される。
【００７０】
ここで開示する本発明によれば、個々の電気光学素子１０１、１０２、１０３、…１０Ｎを制御できるウィンドウ１を提供することが可能であり、ここで、電源及び制御のための空間要件を小さく保つことができる。また、この配置により、配線を簡単かつ確実に行うことができ、したがって、長寿命化を図ることができる。例えば、ウィンドウは容量性センサを有していてもよい。
【００７１】
本方法の一実施形態では、複数の電気光学素子１０１、１０２、１０３、…１０Ｎを、個々の素子を分離することによって形成する。
【００７２】
換言すれば、個々の電気光学素子１０１、１０２、１０３、…１０Ｎは、ガラス層１５０／３５０に適用する前、及びガラス層に適用した後の両方で形成することができるので、様々な連続するプロセスに合わせることができる。電気光学素子の分離は、適切な切削工具を使用して、又はレーザ加工によって実施することができる。通常、個々の電気光学素子１０１、１０２、１０３、…１０Ｎは、予め製作された半完成品、例えば既に電極を具備したフィルムのサンドイッチから形成されている。個々の電気光学素子１０１、１０２、１０３、…１０Ｎは、物理的に設けられるだけでなく、電極の論理ベースの機械加工によって形成することもできる。電極のパターニングによる電気光学素子１０１、１０２、１０３、…１０Ｎを提供する方法を利用すれば、配線の労力を最小限に抑えることができる。
【００７３】
本方法の別の実施形態では、電気光学素子１０１、１０２、１０３、…１０Ｎの電気的接続は、個々の電気光学素子１０１、１０２、１０３、…１０Ｎの縁で接触させることによって形成される。
【００７４】
換言すれば、縁における電極の接触によって、ウィンドウの透明性は、広い面積にわたって保持される。
【００７５】
本発明によるウィンドウ１は、あらゆる種類の乗物に使用することができる。すなわち、陸での、水域での、空域での、及び宇宙での乗物、並びに建物、例えば外部ペイン、天窓、シャワーウォールグレージングなどの両方に使用することができる。
【００７６】
特に、本発明は、好ましくはプラグ接続によって、管理可能な数の接続、例えば２つ又は３つ又は４つの接続のみを確立すればよいので、ウィンドウ及びそれらの配線の設置時に従来技術で考慮しなければならなかった複雑な要因の数を減少させることを可能にする。これにより、組み立てがさらに容易になり、また、接触の信頼性が向上した。
【００７７】
特に、本発明は、電源用の第１の論理インターフェース２０の２本の線と、制御用の第２の論理インターフェース２１の２本の線とによって実質的に得られるコントローラ３０；３０１、…３０Ｎを使用する。論理インターフェースの対応する設計によって、物理インターフェース４０は、２つ、３つ、又は４つの線に削減することができる。
【００７８】
コントローラ３０；３０１、…３０Ｎは、ＳＭＤ技術を用いて実施することができる。簡単に言えば、入力側で直接物理インターフェース４０に接続されていると考えることができ、それによって、出力側で、電気光学素子１０１、１０２、１０３、…１０Ｎの各々は、少なくとも１つの順方向線を介して接続されており、実施形態によっては、１本の共通の戻り線又は個々の戻り線を介して接続されている。コントローラ３０が、一連の論理制御ユニット３０１、…３０Ｎとして解釈される場合、論理制御ユニット３０１、…３０Ｎは、電源（論理インターフェース２０）と並列に接続され、一方で、制御信号は、内部バス（論理インターフェース２１）を介して直列に利用可能になっていると簡単に見なすことができる。このため、論理制御ユニット３０１、…３０Ｎの各々は、制御信号を「評価」することができ、それに応じて関連付けられた電気光学素子１０１、１０２、１０３、…１０Ｎを制御することができる。この論理は、（論理回路を用いて）デジタル的に設計することができ、その一方で、例えば、電気光学素子１０１、１０２、１０３、…１０Ｎへの電圧の実際の切り替えは、技術に応じて、（ＭＯＳ）ＦＥＴ又はバイポーラ・トランジスタ（ソリッド・ステート）リレー、トライアック又はそれと同種のものによって実現することができる。
【００７９】
繰り返しになるが、コントローラ３０；３０１、…３０Ｎの個々の構成要素は、ウィンドウ１内に配置することができ、例えば接合層２１０又は２２０に又はその上に配置することができる。例示的な接合層２１０又は２２０は、例えば、ポリビニルブチラール（ＰＶＢ）を含むことができる。
【００８０】
さらに、コントローラ３０；３０１、…３０Ｎの個々の構成要素は、物理インターフェース４０の一実施形態としてのプラグコネクタ４０に統合することもできる。
【００８１】
ウィンドウ１の外面１００、４００の一方に配置される（一部の）コントローラ３０；３０１、…３０Ｎ又はその一部は、例えば、接着接合／両面接着テープによって接着することができる。
【符号の説明】
【００８２】
１    （ガラス）ウィンドウ
１０１、…１０Ｎ    電気光学素子
２０    論理インターフェース、電源
２１    論理インターフェース、制御
３０、３０１、…３０Ｎ    コントローラ（制御装置）
４０    物理インターフェース
５０    接続線
１００    外面
１５０    ガラス層
２１０    接合層
２２０    接合層
３５０    ガラス層
４００  外面
方法の工程
１０００    第１のガラス層を提供すること
１１００    複数の電気光学素子を提供すること
１２００    電気的接続を提供すること
１３００    第２のガラス層を提供すること
１４００    第１のガラス層及び第２のガラス層を接合すること
【図１】
2020531361.tif 000003
【図２】
2020531361.tif 000004
【図３】
2020531361.tif 000005
【図４】
2020531361.tif 000006
【図５】
2020531361.tif 000007
【国際調査報告】
2020531361.tif 000008
2020531361.tif 000009
2020531361.tif 000010
2020531361.tif 000011